(57)【要約】【課題】埋込光ファイバケーブル用コンセントにおいてその奥行き寸法が小さくなるようにして、浅型の壁内埋込ボックスにも余裕を持って収納可能とし、設置するための空間の奥行き寸法が小さくても設置可能とする。【解決手段】埋込ＰＯＦコンセントは、ボディ１の背面に装着されるケーブル固定部材７を備えている。ケーブル固定部材７のケーブルガイド面７ｂは、前面から背面に向けて前面に平行な面の断面積が増えるような略半球面状の曲面と、鉛直方向に立設しており、上面から見て略ハ字型に、前面から背面に向けて左右中央から側縁の方に広がる略円筒面状の２つの曲面を組み合わせて形成されている。ＰＯＦケーブル１０は、プラグ差込口５から外部に向けてケーブル固定部材７のケーブルガイド面７ｂに沿うようにして、略弦巻線状にひねって曲げられた形状でケーブル固定部材７に固定され、奥行き寸法が小さくなるように配設される。【選択図】図５
2006301576.tif 000002
【特許請求の範囲】
【請求項１】
正面及び背面に開口部を有するボディと、
ボディ正面から外部に露出して外部からプラグ差込可能にされるプラグ差込口と、
前記ボディ背面に装着され、外部からボディ背面の開口部に敷設されてボディ内部のプラグ差込口に接続される光ファイバケーブルをその曲げ半径が最小曲げ半径より大きくなるようにして固定するためのケーブル固定部材を備え、
前記ケーブル固定部材は、前記光ファイバケーブルを前記プラグ差込口から外部に向けて略弦巻線状にひねって曲がるようにガイドし得るケーブルガイド面と、
前記ボディ背面端部近傍にこの光ファイバケーブルを固定する固定部を有していることを特徴とする埋込光ファイバケーブル用コンセント。
【請求項２】
前記ケーブル固定部材は、前記ケーブルガイド面の内側で前記ボディ背面に装着されていることを特徴とする請求項１記載の埋込光ファイバケーブル用コンセント。
【請求項３】
前記ボディに軸支され、前記ボディ正面の開口部を開閉自在に設けられたカバーをさらに備え、
前記プラグ差込口は、前記カバーに保持されており、カバーが閉じているときには前記ボディ内部に埋入され、カバーが開いているときにはボディ正面から外部に露出して外部からプラグ差込可能に構成されていることを特徴とする請求項１又は請求項２に記載の埋込光ファイバケーブル用コンセント。
【請求項４】
前記ケーブルガイド面は、前記カバーの開閉状態に係わらず、プラグ差込口から固定部までの部分に遊びがあるように光ファイバケーブルをガイドし得る形状とされていることを特徴とする請求項３記載の埋込光ファイバケーブル用コンセント。
【請求項５】
前記ケーブルガイド面は、光ファイバケーブルが配される所定位置を示す目安線を有していることを特徴とする請求項４記載の埋込光ファイバケーブル用コンセント。
【請求項６】
前記ケーブル固定部材は、前記ケーブルガイド面の光ファイバケーブルが配される所定位置近傍に、このケーブルガイド面に略垂直に立設するリブを有していることを特徴とする請求項４記載の埋込光ファイバケーブル用コンセント。
【請求項７】
前記ケーブルガイド面は、前面から背面に向けて前面に平行な面の断面積が増えるような略半球面状の曲面と、鉛直方向に立設しており、上面から見て略ハ字型に、前面から背面に向けて左右中央から側縁の方に広がる略円筒面状の２つの曲面とを組み合わせて形成されていることを特徴とする請求項１乃至請求項６に記載の埋込光ファイバケーブル用コンセント。
【請求項８】
前記ケーブル固定部材は、前記リブの背面側端部及び／又は前面側端部から前記ケーブルガイド面に向けて立設された突起部を有していることを特徴とする請求項６に記載の埋込光ファイバケーブル用コンセント。
【請求項９】
前記ケーブル固定部材は、背面側端部に光ファイバケーブルの巻き取りが可能なように断面略楕円形状に形成された巻取り部を備えていることを特徴とする請求項１乃至請求項８に記載の埋込光ファイバケーブル用コンセント。
【発明の詳細な説明】
【技術分野】
【０００１】
本発明は、壁面や床面等に埋設され、外部から例えばＰＯＦ（Plastic Optical fiber）ケーブル等の光ファイバケーブルのプラグが接続される埋込光ファイバケーブル用コンセントに関する。
【背景技術】
【０００２】
従来から、例えばＰＯＦ（Plastic Optical fiber）ケーブル等の光ファイバケーブルを用いた光通信がオフィス等で用いられており、光ファイバケーブル同士を接続する光ファイバケーブル用コネクタが種々開発されている。このような光ファイバケーブル用コネクタとしては、例えば特許文献１に記載されているような、埋込ＰＯＦコンセントが知られている。埋込ＰＯＦコンセントは一方のＰＯＦケーブルの端部に成端されて接続されたプラグ差込口を有しており、壁面や床面に埋設されている。そして、ＰＯＦコンセントに他方のＰＯＦケーブルのプラグが差し込まれることにより両方のＰＯＦケーブルが互いに接続される。
【０００３】
図１１は、上述のような従来の埋込ＰＯＦコンセントを示す。この埋込ＰＯＦコンセントは、ボディ８１と、ボディ８１に保持されるプラグ差込口８５と、ボディ８１の背面に固定されるケーブル固定部材８７を備えており、外部から敷設されるＰＯＦケーブル８１０の端部にプラグ差込口８５が成端されて接続されるものである。この埋込ＰＯＦコンセントは、壁材８２５の表側にボディ８１の正面が向くように、枠体８２１に保持されている。また、ケーブル固定部材８７は壁材８２５の内側に埋設されている。さらに、壁材８２５の裏側には、壁内埋込ボックス８２０が取り付けられており、ケーブル固定部材８７の背面が保護されている。
【０００４】
ボディ８１及びケーブル固定部材８７はそれぞれＰＯＦケーブル８１０の最小曲げ半径と略同寸法の円弧状に形成されたケーブルガイド面８１ａ，８７ｂを有している。ケーブル固定部材８７はボディ８１に固定される固定部８７ａを有しており、このケーブルガイド面８７ｂがケーブルガイド面８１ａに連設されるようにボディ８１に固定されている。このケーブルガイド面８１ａ，８７ｂは、埋込ＰＯＦコンセントの正面から背面に向けて一つの半円弧状のケーブルガイド部を構成している。ＰＯＦケーブル８１０は、このケーブルガイド部を構成するケーブルガイド面８１ａ，８７ｂに沿うように、埋込ＰＯＦコンセントの正面から背面に向けて半円状に曲げられてこの埋込ＰＯＦコンセントに配され、固定部８７ｃで狭持されて固定されている。このようにＰＯＦケーブル８１０を配することにより、ＰＯＦケーブル８１０が最小曲げ半径より小さい半径で湾曲して損傷したり、また、このＰＯＦケーブル８１０が外部から引っ張られて損傷したりすることを防止している。
【特許文献１】特開２００３−９８３８３号公報
【発明の開示】
【発明が解決しようとする課題】
【０００５】
しかしながら、上述のような埋込ＰＯＦコンセントにおいては、ＰＯＦケーブル８１０が埋込ＰＯＦコンセントの正面から背面に向けて半円状に縦巻きとなるように曲げられてケーブル固定部材８７に固定されているので、正面から背面に向けての奥行きの寸法が大きくなるという問題があった。埋込ＰＯＦコンセントの奥行きの寸法が大きいと、図に示すような壁内埋込ボックス８２０よりも浅型の壁内埋込ボックス９２０等は、ＰＯＦケーブル１０及びケーブル固定部材８７と干渉するため用いることができず、また、壁材８２５の裏側に十分な隙間がないとき等には埋込ＰＯＦコンセントの設置が困難になる。
【０００６】
本発明は、上記問題点を鑑みてなされたものであり、奥行き寸法を小さくして、浅型の壁内埋込ボックスにも余裕を持って収納可能であり、設置するための空間の奥行き寸法が小さくても設置可能である埋込光ファイバケーブル用コンセントを提供することを目的とする。
【課題を解決するための手段】
【０００７】
上記目的を達成するため請求項１の発明は、正面及び背面に開口部を有するボディと、ボディ正面から外部に露出して外部からプラグ差込可能にされるプラグ差込口と、前記ボディ背面に装着され、外部からボディ背面の開口部に敷設されてボディ内部のプラグ差込口に接続される光ファイバケーブルをその曲げ半径が最小曲げ半径より大きくなるようにして固定するためのケーブル固定部材を備え、前記ケーブル固定部材は、前記光ファイバケーブルを前記プラグ差込口から外部に向けて略弦巻線状にひねって曲がるようにガイドし得るケーブルガイド面と、前記ボディ背面端部近傍にこの光ファイバケーブルを固定する固定部を有しているものである。
【０００８】
請求項２の発明は、請求項１の発明において、前記ケーブル固定部材は、前記ケーブルガイド面の内側で前記ボディ背面に装着されているものである。
【０００９】
請求項３の発明は、請求項１又は請求項２の発明において、前記ボディに軸支され、前記ボディ正面の開口部を開閉自在に設けられたカバーをさらに備え、前記プラグ差込口は、前記カバーに保持されており、カバーが閉じているときには前記ボディ内部に埋入され、カバーが開いているときにはボディ正面から外部に露出して外部からプラグ差込可能に構成されているものである。
【００１０】
請求項４の発明は、請求項３の発明において、前記ケーブルガイド面は、前記カバーの開閉状態に係わらず、プラグ差込口から固定部までの部分に遊びがあるように光ファイバケーブルをガイドし得る形状とされているものである。
【００１１】
請求項５の発明は、請求項４の発明において、前記ケーブルガイド面は、光ファイバケーブルが配される所定位置を示す目安線を有しているものである。
【００１２】
請求項６の発明は、請求項４の発明において、前記ケーブル固定部材は、前記ケーブルガイド面の光ファイバケーブルが配される所定位置近傍に、このケーブルガイド面に略垂直に立設するリブを有しているものである。
【００１３】
請求項７の発明は、請求項１乃至請求項６の発明において、前記ケーブルガイド面は、前面から背面に向けて前面に平行な面の断面積が増えるような略半球面状の曲面と、鉛直方向に立設しており、上面から見て略ハ字型に、前面から背面に向けて左右中央から側縁の方に広がる略円筒面状の２つの曲面とを組み合わせて形成されているものである。
【００１４】
請求項８の発明は、請求項６の発明において、前記ケーブル固定部材は、前記リブの背面側端部及び／又は前面側端部から前記ケーブルガイド面に向けて立設された突起部を有しているものである。
【００１５】
請求項９の発明は、請求項１乃至請求項８の発明において、前記ケーブル固定部材は、背面側端部に光ファイバケーブルの巻き取りが可能なように断面略楕円形状に形成された巻取り部を備えているものである。
【発明の効果】
【００１６】
請求項１の発明によれば、ケーブル固定部材のケーブルガイド面が、光ファイバケーブルをプラグ差込口から外部に向けて略弦巻線状にひねって曲がるようにガイドし得るので、光ファイバケーブルの最小曲げ半径より大きい曲げ半径を維持しつつ、埋込光ファイバケーブル用コンセントの奥行き寸法を小さくすることが可能となり、浅型の壁内埋込ボックスにも余裕を持って収納し、設置するための空間の奥行き寸法が小さくても設置することが可能となる。
【００１７】
請求項２の発明によれば、ケーブル固定部材がケーブルガイド面の内側でボディ背面に装着されるので、ボディ背面からのケーブル固定部材の張り出し量が小さくなり埋込光ファイバケーブル用コンセントの奥行き寸法をより小さくすることが可能となる。
【００１８】
請求項３の発明によれば、プラグ差込口が、カバーが閉じているときにはボディ内部に埋入され、カバーが開いているときにはボディ正面から外部に露出する埋込光ファイバケーブル用コンセントにおいて、光ファイバケーブルが略弦巻線上に曲がるようガイドされて固定部に固定される。従って、埋込光ファイバケーブル用コンセントの奥行き寸法を小さくすることが可能となると共に、カバー開閉時に、光ファイバケーブルがケーブルガイド面から離れてボディに擦れることがなくなり、光ファイバケーブルの摩耗による不具合の発生を防止することが可能となる。
【００１９】
請求項４の発明によれば、カバーの開閉状態に係わらず、ケーブルガイド面が光ファイバケーブルをプラグ差込口から固定部までの部分に遊びがあるようにガイドし得るので、カバーの開閉に伴いプラグ差込口の位置が変わっても光ファイバケーブルが突っ張って張力が発生することがない。そのため、カバーの開閉動作が光ファイバケーブルの張力により妨げられることを防止することができる。
【００２０】
請求項５の発明によれば、ケーブルガイド面に目安線が設けられているので、この目安線に光ファイバケーブルが沿うようにして、光ファイバケーブルがカバーの開閉動作を妨げないように容易に光ファイバケーブルを配設することが可能となる。
【００２１】
請求項６の発明によれば、ケーブルガイド面の光ファイバケーブルが配される所定位置近傍に、このケーブルガイド面に略垂直に立設するリブが設けられているので、このリブの表面とケーブルガイド面に光ファイバケーブルが沿うようにして、光ファイバケーブルがカバーの開閉動作を妨げないように容易に光ファイバケーブルを配設することが可能となる。
【００２２】
請求項７の発明によれば、ケーブルガイド面が、略半球面状の曲面と略円筒面状の２つの曲面とを組み合わせて形成されているので、ケーブルガイド面の奥行き寸法を、ガイドする光ファイバケーブルの曲げ半径を維持しつつ効率良く小さくすることが可能となる。従って、埋込光ファイバケーブル用コンセントの奥行き寸法をより小さくすることが可能となる。
【００２３】
請求項８の発明によれば、リブの背面側端部及び／又は前面側端部からケーブルガイド面に向けて突起部が立設されているので、カバー開閉時等に光ファイバケーブルがケーブルガイド面から離れても、突起部に当接する。従って、光ファイバケーブルがケーブルガイド面より抜け落ちてしまうことを防止することが可能となり、光ファイバケーブルがボディに擦れたりして損傷することを確実に防止することができる。
【００２４】
請求項９の発明によれば、ケーブル固定部材は、背面側端部に、断面略楕円形状に形成された巻取り部を備えているので、例えば光ファイバケーブルが長すぎたときに、光ファイバケーブルを巻取り部に巻きつけることが可能となる。従って、埋込光ファイバケーブル用コンセントに、敷設する光ファイバケーブルの長さを容易に調節可能となり、光ファイバケーブルを取り付けて敷設する作業をより容易に行うことが可能となる。
【発明を実施するための最良の形態】
【００２５】
以下、本発明の一実施形態について図面を参照して説明する。図１乃至図６は、本実施形態に係る埋込ＰＯＦ（Plastic Optical fiber）コンセント（埋込光ファイバケーブル用コンセント）の一構成例を示す。この埋込ＰＯＦコンセントは、ボディ１と、ボディ１に軸支されるカバー２と、ボディ１にカバー２を軸支する軸３と、カバー２の開閉動作を付勢するスプリング４と、プラグ差込口５と、押さえ金具６と、ケーブル固定部材７とを備えている。この埋込ＰＯＦコンセントには、後述するように、外部から敷設されるＰＯＦケーブル（光ファイバケーブル）１０の端部にプラグ差込口５が成端されて接続される。
【００２６】
ボディ１は、その正面１ａ及び背面１ｂの上方に開口部１ｆを有している。正面１ａの上部にはカバー２を軸支するための穴を有する軸支部１ｃが設けられており、正面１ａの下部には、カバー２を係止するためのカバー係止部１ｄが設けられている。また、ボディ１の背面１ｂの開口部１ｆの下方には、背面１ｂに略鉛直に突出する２つの係止爪１ｅが設けられており、この係止爪１ｅを用いてケーブル固定部材７を固定する。
【００２７】
カバー２の上部には、ボディ１の軸支部１ｃの穴と同軸となる穴を有する蝶番部２ａが形成されている。カバー２は、軸３がボディ１の軸支部１ｃの穴とカバー２の蝶番部２ａの穴を連通するように挿篏されることでボディ１に軸支される。カバー２はこの軸３を中心に回動自在とされ、ボディ１の正面１ａの開口部１ｆを開閉自在に覆っている。ここで、カバー２がボディ１に軸支される部分には、軸３と同軸となりカバー２の開閉動作に応じて捻られるスプリング４が配されており、カバー２がボディ１の正面１ａの開口部１ｆを開く方向にカバー２を付勢している。カバー２が閉じた状態ではこのカバー２の下側がボディ１のカバー係止部１ｄに係止された状態とされており、カバー係止部１ｄが外部から操作されることで、カバー２の下側の係止が開放されてカバー２が開く。カバー２の下部には、ボディ１の正面１ａの開口部１ｆに向けてブラケット部２ｂが立設されている。このブラケット部２ｂの内面はプラグ差込口５と係合するような形状に形成されており、後述するようにしてプラグ差込口５を保持する。
【００２８】
プラグ差込口５は、例えばＳＭＩ（Small Multimedia Interface）型のものであり、外部からプラグが差し込まれる下部５ａと、この下部５ａと連着して外部から敷設されるＰＯＦケーブル１０の端部に成端される上部５ｂとに分かれている。このプラグ差込口５は、下部５ａ及び上部５ｂがともにカバー２のブラケット部２ｂの内面に、その下部５ａがカバー２裏側の下側に面するように嵌めこまれる。押さえ金具６は、上述のようにプラグ差込口５がブラケット部２ｂに配されてカバー２の裏面と当接した状態でブラケット部２ｂの内側に嵌め込まれ、ブラケット部２ｂの外側からねじ込まれるネジ６ａによってブラケット部２ｂと螺結される。プラグ差込口５は、ブラケット部２ｂの内面と係合され、押さえ金具６とカバー２の裏面で狭持された状態となり、カバー２から脱落することなく保持される。
【００２９】
ケーブル固定部材７は、ボディ１の係止爪１ｅと係合する係合部７ａと、ケーブルガイド面７ｂと、固定部７ｃ，７ｄとを有している。このケーブル固定部材７は、その中心を通り前面に垂直な鉛直面に対して対称形状である。ケーブルガイド面７ｂは、前面から背面に向けて前面に平行な面の断面積が増えるような略半球面状の曲面と、鉛直方向に立設しており、上面から見て略ハ字型に、前面から背面に向けて左右中央から側縁の方に広がる略円筒面状の２つの曲面を組み合わせて形成されている。固定部７ｃは、ケーブル固定部材７の背面の左右端部近傍に一箇所ずつ設けられており、ＰＯＦケーブル１０を狭持できるような幅の断面略コ字状に形成されている。また、固定部７ｄは、ケーブル固定部材７の背面の中心部下端近傍に一箇所設けられており、固定部７ｃと同様に断面略コ字状に形成されてＰＯＦケーブル１０を狭持可能に形成されている。図に示すように、ケーブル固定部材７のケーブルガイド面７ｂを構成する略半球面状の曲面の背面側端部は、断面略楕円形状（直線と円弧状の曲線とで構成される形状を含む）に形成された巻取り部７ｇとなっており、ＰＯＦケーブルの巻取りが可能に構成されている。
【００３０】
係合部７ａは、このケーブル固定部材７の中央より下側のケーブルガイド面７ｂの内側に設けられている。ケーブル固定部材７は、ケーブル固定部材７のケーブルガイド面７ｂの前面側の部分よりも背面側となる面でボディ１の背面１ｂと接触して、ケーブル固定部材７の係合部７ａがボディ１の係止爪１ｅと係合してボディ１に装着される。ケーブル固定部材７とボディ１が固定されると、ケーブル固定部材７のケーブルガイド面７ｂの前面部分がボディ１の背面１ｂの開口部１ｆからボディ１の内部に埋入され、カバー２に配されたプラグ差込口５の上部に近づいた状態となる。
【００３１】
この埋込ＰＯＦコンセントは、図５（ａ）に示すように、壁材２５の表側にボディ１の正面が向くようにして枠体２１に保持されて壁材２５に埋設されており、壁材２５の裏側から壁内埋込ボックス２０が取り付けられることで背面が保護されている。この埋込ＰＯＦコンセントと壁内埋込ボックス２０で囲まれた内部には、ＰＯＦケーブル１０が外部から引き込まれてボディ１の背面１ｂの開口部１ｆからボディ１内部に敷設され、ＰＯＦケーブル１０の端部にプラグ差込口５が成端されて、ＰＯＦケーブル１０が接続されている。
【００３２】
このＰＯＦケーブル１０は、図５（ａ）及び（ｂ）に示すように、プラグ差込口５から外部に向けてケーブル固定部材７のケーブルガイド面７ｂに沿うようにして配設されており、固定部７ｃ、固定部７ｄの順にそれぞれ狭持されて、ケーブル固定部材７に固定される。このようにケーブルガイド面７ｂに沿って配設されることで、ＰＯＦケーブル１０はプラグ差込口５から外部に向けて略弦巻線状にひねって曲げられた形状でケーブル固定部材７に固定される。この埋込ＰＯＦコンセントの使用時にカバー係止部１ｄが操作されてカバー２が開くと、図６（ａ）に示すように、カバー２の裏面下側からプラグ差込口５が露出して、外部から別のＰＯＦケーブルのプラグがこのプラグ差込口５に差し込み可能となる。ここで、ケーブルガイド面７ｂはＰＯＦケーブル１０をその曲げ半径が最小曲げ半径より大きくなるように沿わせて配設させるような形状とされている。これにより、ＰＯＦケーブル１０に外部から引っ張られる等の力が加わったときでも、ＰＯＦケーブル１０がその最小曲げ半径以下の曲げ半径で曲げられて損傷してしまうことを防止している。なお、ＰＯＦケーブル１０を配設する際、例えばＰＯＦケーブル１０が長すぎて埋込ＰＯＦコンセントの背面側で弛んでしまうようなときには、ＰＯＦケーブル１０を巻取り部７ｇに巻着してその長さを調節可能である。すなわち、この埋込ＰＯＦコンセントは、ＰＯＦケーブル１０の長さを容易に調節可能であり、ＰＯＦケーブル１０の敷設作業を容易に行うことが可能となるように構成されている。
【００３３】
ここで、上述のようにＰＯＦケーブル１０がケーブル固定部材７のケーブルガイド面７ｂに配設されるとき、このＰＯＦケーブル１０のプラグ差込口５から固定部７ｃまでの部分に遊びがあるように配置される。すなわち、例えば図６（ｂ）に示すように、ＰＯＦケーブル１０がケーブル固定部材７のケーブルガイド面７ｂに密着して配されるのではなく、図６（ａ）及び図５（ａ）及び（ｂ）に示すように、ＰＯＦケーブル１０がケーブルガイド面７ｂに接しながらも、カバー２の開閉状態に応じて可撓となるように配される。これにより、カバー２の開閉に伴ってプラグ差込口５の位置が変わるとき、ＰＯＦケーブル１０が突っ張って張力が発生することがなくなり、カバー２の開閉動作がＰＯＦケーブル１０の張力によって妨げられるという不具合が防止される。
【００３４】
この埋込ＰＯＦコンセントにおいては、上述のように、ケーブル固定部材７のケーブルガイド面７ｂが、ＰＯＦケーブル１０をプラグ差込口５から外部に向けて略弦巻線状にひねって曲がるように沿わせてガイドするので、この埋込ＰＯＦコンセントの背面側へのＰＯＦケーブル１０の張り出し量が少なくなり、奥行き寸法を小さくすることが可能となる。これにより、この埋込ＰＯＦコンセントを浅型の壁内埋込ボックス２０にも余裕を持って収納することが可能となり、設置空間の奥行き寸法が小さくても設置可能となる。また、ケーブル固定部材７が、ケーブルガイド面７ｂの内側でボディ１の背面１ｂに装着されるので、ボディ１の背面１ｂからのケーブル固定部材７の張り出し量が小さくなり、埋込ＰＯＦコンセントの奥行き寸法をより小さくすることが可能となる。また、ＰＯＦケーブル１０は固定部７ｃ，７ｄに固定されているので、カバー２の開閉時に、ＰＯＦケーブル１０がケーブルガイド面７ｂから離れてボディ１に擦れることがなく、ＰＯＦケーブル１０の摩耗による不具合の発生を防止することが可能となる。
【００３５】
ここで、図７（ａ）及び（ｂ）に示すように、ケーブル固定部材７のケーブルガイド面７ｂのＰＯＦケーブル１０が配される所定位置に目安線７ｅを印しておいてもよい。この目安線７ｅは、ＰＯＦケーブル１０をこの目安線７ｅに沿って配したときに、上述のようにプラグ差込口５から固定部７ｃまでの部分で遊びがある状態になる位置に印される。このようにケーブルガイド面７ｂに目安線７ｅを設けることで、ＰＯＦケーブル１０がカバー２の開閉動作を妨げないように、容易にＰＯＦケーブル１０を配設することが可能となる。
【００３６】
また、図８に示すように、ケーブル固定部材７のケーブルガイド面７ｂのＰＯＦケーブル１０が配される所定位置近傍に、このケーブルガイド面に略垂直に立設されるリブ７ｆを設けてもよい。図９（ａ）及び（ｂ）及び図１０（ａ）及び（ｂ）はこのようなケーブル固定部材７を備える埋込ＰＯＦコンセントを示す。このリブ７ｆは、ＰＯＦケーブル１０が上述のように遊びがあるようにケーブルガイド面７ｂに配されるとき、ＰＯＦケーブル１０の曲げ半径がその状態から大きくならないように規制するような位置に立設されている。すなわち、ＰＯＦケーブル１０をこのリブ７ｆの内面とケーブルガイド面７ｂに沿うようにして配設することで、ＰＯＦケーブル１０がカバー２の開閉動作を妨げないように、容易に配設作業を行うことが可能となる。ここで、この埋込ＰＯＦコンセントのケーブル固定部材７には、上述した固定部７ｃの替わりに、リブ７ｆの背面側端部にケーブルガイド面７ｂに向けて突起部７ｈが立設されている。そのため、例えばカバー２の開閉時等に、ＰＯＦケーブル１０が弛んでケーブルガイド面７ｂから離れても、突起部７ｈとリブ７ｆとに当接し、背面側や上面側に抜け落ちてしまうことがなくなる。従って、ＰＯＦケーブル１０がボディ１に擦れたりして損傷してしまうことを確実に防止することが可能となる。なお、この突起部７ｈは、リブ７ｆの前面側端部に設けられていても、リブ７ｆの背面側端部及び前面側端部に設けられていてもよい。
【００３７】
なお、本発明は上記実施形態の構成に限定されるものではなく、発明の範囲を変更しない範囲で適宜に種々の変形が可能である。例えば、この埋込ＰＯＦコンセントのプラグ差込口５は、ＳＭＩ型の形状に限らず、他の種々の規格に対応するものであってもよい。また、この埋込ＰＯＦコンセントは、カバー２を備えておらず、プラグ差込口５がボディ１に対する位置が変わらないように保持されているようなものであってもよい。すなわち、本発明は、例えばカバー付きＳＣレセプタクル型のコンセントや、カバーなしのコンセントにも適用可能なものである。また、本発明に適用可能な光ファイバケーブルも、ＰＯＦケーブルに限られるものではなく、いわゆる光コードやインドアケーブルであってもよい。すなわち、いずれの構成であっても、上述のようにケーブル固定部材７によって光ファイバケーブルが略弦巻線状にひねって曲げられて固定されることで、埋込光ファイバケーブル用コンセントの奥行き寸法を小さくすることが可能となる。
【図面の簡単な説明】
【００３８】
【図１】本発明の一実施形態に係る埋込ＰＯＦコンセントを示す分解斜視図。
【図２】（ａ）は同上コンセントを背面側から見たときを示す斜視図、（ｂ）は同コンセントを正面側から見たときを示す斜視図。
【図３】（ａ）は同上コンセントの正面図、（ｂ）は（ａ）のＡ‐Ａ線断面図、（ｃ）はその背面図、（ｄ）はその下面図。
【図４】（ａ）は同上コンセントのカバー２が開いた状態を示す正面図、（ｂ）は（ａ）のＡ‐Ａ線断面図、（ｃ）はその背面図。
【図５】（ａ）は同上コンセントにＰＯＦケーブル１０が配されたときを示す側断面図、（ｂ）はその背面図。
【図６】（ａ）は図５（ａ）のカバー２が開いた状態を示す側断面図、（ｂ）は同上コンセントにＰＯＦケーブル１０をケーブルガイド面７ｂに密着するように配したときを示す側断面図。
【図７】（ａ）は同上の一変形例に係る埋込ＰＯＦコンセントを示す側断面図、（ｂ）はその背面図。
【図８】同上とはさらに別の変形例に係る埋込ＰＯＦコンセントのケーブル固定部材７を示す斜視図。
【図９】（ａ）は同上コンセントを背面側から見たときを示す斜視図、（ｂ）は同コンセントを正面側から見たときを示す斜視図。
【図１０】（ａ）は同上コンセントのカバー２が開いた状態を示す側断面図、（ｂ）はその背面図。
【図１１】従来の埋込ＰＯＦコンセントの一例を示す側断面図。
【符号の説明】
【００３９】
１  ボディ
１ａ  （ボディ１の）正面
１ｂ  （ボディ１の）背面
１ｃ  軸支部
１ｆ  開口部
２  カバー
５  プラグ差込口
７  ケーブル固定部材
７ｂ  ケーブルガイド面
７ｃ，７ｄ  固定部
７ｅ  目安線
７ｆ  リブ
７ｇ  巻取り部
７ｈ  突起部
１０  ＰＯＦ（Plastic Optical fiber）ケーブル（光ファイバケーブル）
【図１】
2006301576.tif 000003
【図２】
2006301576.tif 000004
【図３】
2006301576.tif 000005
【図４】
2006301576.tif 000006
【図５】
2006301576.tif 000007
【図６】
2006301576.tif 000008
【図７】
2006301576.tif 000009
【図８】
2006301576.tif 000010
【図９】
2006301576.tif 000011
【図１０】
2006301576.tif 000012
【図１１】
2006301576.tif 000013